(57)【要約】【課題】電力監視に関わる各種の設定が容易に行えるエネルギーマネジメントシステムを提供する。【解決手段】エネルギーマネジメントシステムは、各住戸に設置される宅内設備Ａと宅外の携帯端末ＰＴとをインターネットＮＴを介してセンタ装置ＳＶに接続して構成される。センタ装置ＳＶは、電力監視に関する各種の設定を行うためのウェブページを有しており、例えば携帯端末ＰＴからインターネットＮＴを介してセンタ装置ＳＶにアクセスすると、携帯端末ＰＴの表示画面に当該ウェブページが表示され、このウェブページから上記各種の設定を行うことができる。また、上記各種の設定が完了すると、携帯端末ＰＴには設定ファイルが作成され、この設定ファイルを宅内設備Ａを構成するエネルギーマネジメントユニット３に転送すると、エネルギーマネジメントユニット３では、この設定内容に基づいて各電気機器の制御並びに監視が行われる。【選択図】図１
2009130985.tif 000002
【特許請求の範囲】
【請求項１】
各住戸に設けられた宅内設備と端末装置とがネットワークを介してサーバに接続され、前記宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、前記電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する表示装置と、ネットワークを介して前記サーバに接続するためのネットワーク接続部とを備え、前記サーバは、電力監視に関わる各種の設定をするためのウェブページを有し、前記端末装置は、ネットワークを介して前記サーバから当該ウェブページを取得し、取得したウェブページにおいて前記各種の設定を行うことを特徴とするエネルギーマネジメントシステム。
【請求項２】
前記端末装置は、前記ウェブページで設定した設定情報を、対応する住戸の前記エネルギーマネジメントユニットに出力することを特徴とする請求項１記載のエネルギーマネジメントシステム。
【請求項３】
前記ウェブページで設定した設定情報を記録した記録媒体を接続するためのインターフェースを、前記エネルギーマネジメントユニットに設けたことを特徴とする請求項１記載のエネルギーマネジメントユニット。
【請求項４】
前記端末装置は、前記ウェブページで設定した設定情報をネットワークを介して前記サーバに送信し、前記サーバは、受信した前記設定情報をネットワークを介して対応する住戸の前記エネルギーマネジメントユニットに送信し、当該エネルギーマネジメントユニットに前記設定情報を設定することを特徴とする請求項１記載のエネルギーマネジメントシステム。
【発明の詳細な説明】
【技術分野】
【０００１】
本発明は、エネルギーマネジメントシステムに関するものである。
【背景技術】
【０００２】
従来より、各家庭の電気使用量を電気機器毎に計測し、その計測結果に基づいてエネルギー診断を行う電力監視システムが提供されている（例えば特許文献１参照）。
【特許文献１】特開２００２−１８９７７９号公報（段落［００１９］−段落［００２６］、及び、第１図−第２図）
【発明の開示】
【発明が解決しようとする課題】
【０００３】
上述の特許文献１に示した電力監視システムは、各家庭において電気機器毎に電気使用量を計測するため、例えば各分岐回路に接続される負荷名や接続された負荷の電気チェックの有無などの各種の情報を予め設定する必要があるが、従来のシステムでは、各情報毎に設けられた設定画面に移行する前画面が各情報毎に設けられているため、１つの設定画面から次の設定画面に移行させる際に、一旦次の設定画面の前画面に移行させ、さらにその前画面から設定画面に移行させる必要があり、画面を切り替える回数が多く、手間がかかるものであった。
【０００４】
本発明は上記問題点に鑑みて為されたものであり、その目的とするところは、電力監視に関わる各種の設定が容易に行えるエネルギーマネジメントシステムを提供することにある。
【課題を解決するための手段】
【０００５】
請求項１の発明は、各住戸に設けられた宅内設備と端末装置とがネットワークを介してサーバに接続され、宅内設備は、主幹ブレーカの二次側から分岐した分岐電路にそれぞれ設けられた複数の分岐ブレーカに流れる電流を、分岐ブレーカ毎に計測する電流計測部を具備した電流計測ユニットと、電流計測部の計測結果に基づいて分岐ブレーカ毎の使用電力量を演算する使用電力量演算部、および、当該使用電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する表示装置と、ネットワークを介してサーバに接続するためのネットワーク接続部とを備え、サーバは、電力監視に関わる各種の設定をするためのウェブページを有し、端末装置は、ネットワークを介してサーバから当該ウェブページを取得し、取得したウェブページにおいて各種の設定を行うことを特徴とする。
【０００６】
請求項２の発明は、端末装置は、ウェブページで設定した設定情報を、対応する住戸のエネルギーマネジメントユニットに出力することを特徴とする。
【０００７】
請求項３の発明は、ウェブページで設定した設定情報を記録した記録媒体を接続するためのインターフェースを、エネルギーマネジメントユニットに設けたことを特徴とする。
【０００８】
請求項４の発明は、端末装置は、ウェブページで設定した設定情報をネットワークを介してサーバに送信し、サーバは、受信した設定情報をネットワークを介して対応する住戸のエネルギーマネジメントユニットに送信し、当該エネルギーマネジメントユニットに設定情報を設定することを特徴とする。
【発明の効果】
【０００９】
請求項１の発明によれば、電力監視に関わる各種の設定を行うためのウェブページがサーバから提供され、このウェブページから直接各種の設定ページに移行し、移行した設定ページにおいて設定が行えるので、従来例と比較して画面を移行させる回数が少なくてすみ、各種の設定を容易に行うことができるという効果がある。また、ネットワークを介してサーバに接続できる環境にあればいいので、遠隔地から上記設定を行うこともできるという効果がある。
【００１０】
請求項２の発明によれば、ウェブページで設定した設定情報を、端末装置から対応するエネルギーマネジメントユニットに直接出力しているので、設定情報を確実にエネルギーマネジメントユニットに設定することができるという効果がある。
【００１１】
請求項３の発明によれば、エネルギーマネジメントユニットに記録媒体を接続するためのインターフェースを設けているので、設定情報を記録した記録媒体をこのインターフェースに接続することによって、設定情報をエネルギーマネジメントユニットに設定することができるという効果がある。また、エネルギーマネジメントユニットに設定情報を設定する際に記録媒体を接続するだけでいいので、作業が容易になり作業性が向上するという効果がある。
【００１２】
請求項４の発明によれば、ウェブページで設定した設定情報を、ネットワークを介してエネルギーマネジメントユニットに設定しているので、ネットワークを介してサーバに接続できる環境にあれば遠隔地から設定することができ、また複数の住戸の設定情報を同じ場所から対応する住戸のエネルギーマネジメントユニットにそれぞれ設定することもできるという効果がある。
【発明を実施するための最良の形態】
【００１３】
本発明の実施形態を図面に基づいて説明する。
【００１４】
本実施形態のエネルギーマネジメントシステムは、図１に示すように各住戸に設置される宅内設備Ａと宅外の携帯端末ＰＴとをインターネットＮＴ（ネットワーク）を介してセンタ装置ＳＶ（サーバ）に接続して構成され、宅内設備Ａは、宅内に設置される統合管理盤１と、商用電源を供給する電路Ｌｐおよび情報伝送路Ｌｊを介して統合管理盤１に接続されて、統合管理盤１が電力供給、制御並びに監視を行う照明器具、空調機器（エアコン）、床暖房器具、ＩＨ機器などの宅内に設置された複数の電気機器Ｘｍｎ（添え字のｍ、ｎは１以上の整数を示す。ｍ、ｎ＝１，２，…、以下同様。）と、統合管理盤１にＬＡＮケーブルＬｉを介して接続される複数（図では２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＨＴＴＰなど）を利用した宅内ネットワークを構成している。ここに、パーソナル・コンピュータＰＣや表示制御装置ＣＶなどにより表示装置が構成されている。
【００１５】
この宅内ネットワークは、１００ＢＡＳＥ−ＴＸ（ＩＥＥＥ  ８０２．３ｕ）規格に準拠したローカルエリアネットワーク（ＬＡＮ）であって、統合管理盤１内においてレイヤ２スイッチやレイヤ３スイッチに相当する後述の統合装置ＴＭ（ネットワーク接続部）に、ネットワーク端末に相当する端末装置（パーソナル・コンピュータＰＣ並びに表示制御装置ＣＶ）などがスター配線で接続されている。また、統合装置ＴＭは、インターネットＮＴに接続するための回線の種類（電話回線、ＣＡＴＶ回線、光ファイバ回線など）に応じたインターネット接続機能を有しており、この統合装置ＴＭを介して宅内ネットワークが外部ネットワークたるインターネットＮＴに接続される。なお、宅内ネットワークを構成する端末装置は、図３に示すようにウェブブラウザ機能を有するネットテレビＴＶなどであってもよく、このネットテレビＴＶは、例えばマルチメディアコンセントＭＣを介して統合管理盤１に接続される。
【００１６】
さらに、この宅内ネットワークには、宅外に設置されたセンタ装置ＳＶがインターネットＮＴを介して接続されており、後述するようにインターネットＮＴに接続可能なノート型のパーソナル・コンピュータ、携帯電話機、ＰＤＡ（Ｐｅｒｓｏｎａｌ  Ｄｉｇｉｔａｌ  Ａｓｓｉｓｔａｎｃｅ）などからなるウェブブラウザ機能を有する携帯型の端末装置（携帯端末ＰＴ）とセンタ装置ＳＶとの間でインターネットＮＴを介したデータ通信を行うことにより、例えば、携帯端末ＰＴを使って外出先から宅内電気機器の制御や監視を行うことができる。ここに、携帯端末ＰＴなどにより端末装置が構成されている。
【００１７】
センタ装置ＳＶは、ネットワーク機能を有する汎用のコンピュータ装置で構成されており、携帯端末ＰＴからインターネットＮＴを介して送信される統合管理盤１宛てのメッセージや、統合管理盤１から宅内ネットワークに属さない端末装置（例えば、携帯端末ＰＴなど）に宛てて送信されるメッセージを中継する機能を有している。また、センタ装置ＳＶは情報データベースＤＢを備え、この情報データベースＤＢには各住戸における主幹ブレーカＢｓの電気使用量および分岐ブレーカＢｍｎ（ｍ＝１，２，…、ｎ＝１，２，…）毎の電気使用量の履歴が各住戸毎に蓄積されるようになっている。ここにおいて、上述のようなインターネット接続機能を有する携帯端末ＰＴやセンタ装置ＳＶは従来周知であるから、詳細な構成については説明を省略する。
【００１８】
統合管理盤１は、図１および図２に示すように、外部から住宅に供給される商用電源を一次側に受ける主幹ブレーカＢｓと、主幹ブレーカＢｓの二次側から分岐した電路にそれぞれ介挿される複数（図１では３個のみ表示）の分岐ブレーカＢｍｎ（ｍ＝１，２，…、ｎ＝１，２，…）と、これら主幹ブレーカＢｓおよび分岐ブレーカＢｍｎに流れる電流を計測するための電流計測ユニット２と、電流計測ユニット２から入力される計測データに基づいて使用電力量を演算するエネルギーマネジメントユニット３と、上記の統合装置ＴＭと、電気機器コントローラＣ１とを備えている。そして、各分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００１９】
電流計測ユニット２は、主幹ブレーカＢｓを介して供給されている主幹電力量を定期的に計測する主幹電力計測部２ａと、各分岐ブレーカＢｍｎを流れる分岐電流の値を分岐ブレーカ毎に定期的に計測する分岐電流計測部ＣＴｍｎ（ｍ＝１，２，…、ｎ＝１，２，…）と、主幹ブレーカＢｓの主幹電力および分岐ブレーカＢｍｎ毎の分岐電流の計測データを収集し、収集した計測データを検出情報としてエネルギーマネジメントユニット３に出力する制御部２ｂとを備えている。
【００２０】
主幹電力計測部２ａは、主幹ブレーカＢｓを流れる主幹電流を定期的に計測する主幹電流計測部ＣＴｓと、主幹電流の計測値に基づいて電力量を演算する電力演算部ＥＰＯとを備えており、主幹電流計測部ＣＴｓで計測した主幹電流の計測値を電力演算部ＥＰＯで電力量に変換することによって主幹ブレーカＢｓを介して供給される主幹電力量が演算される。
【００２１】
ここで、分岐ブレーカＢｍｎ毎に設けられた分岐電流計測部ＣＴｍｎ（ｍ＝１，２，…、ｎ＝１，２，…）は、各電路Ｌｐｍｎ（ｍ＝１，２，…、ｎ＝１，２，…）に流れる分岐電流を検出する電流センサ（図示せず）と、電流センサの検出出力に基づいて検出データを生成するセンサユニット（図示せず）とを備えており、さらにセンサユニットでは生成した検出データを伝送用信号に変調して制御部２ｂに出力している。
【００２２】
そして、制御部２ｂでは、センサユニットから入力された伝送用信号を復調して検出データを取り出し、取得した検出データを送信部２ｃから順次エネルギーマネジメントユニット３に送信している。
【００２３】
次に、エネルギーマネジメントユニット３は、上記送信部２ｃより受信した分岐ブレーカＢｍｎ毎の分岐電流の計測データに基づいて、各分岐ブレーカＢｍｎを介して供給されている分岐電力量を演算する演算部３ａと、演算部３ａから入力された主幹電力量および分岐電力量に基づいて、主幹電力量を表す画像データや各分岐電力量を表す画像データなどの表示制御装置ＣＶに表示させる画面データを生成する制御部３ｂとを備えている。ここに、演算部３ａにより使用電力量演算部が構成されている。
【００２４】
上記の制御部３ｂは、電力量検知を行う分岐ブレーカＢｍｎのデータ（分岐ブレーカの名称：分岐１、分岐２、．．．など）を予め格納しており、主幹電力量および分岐電路毎の分岐電力量など各種の電気使用量を表示するための画像データとしてウェブコンテンツ（ウェブページ）を作成し、端末装置ＴＵ（表示制御装置ＣＶやパソコンＰＣや携帯端末ＰＴなど）からの要求に応じて所望のウェブコンテンツを端末装置ＴＵに提供（配信）する機能（ウェブサーバ機能）を有しており、ＬＡＮケーブルを介して統合管理盤１内の統合装置ＴＭや電気機器コントローラＣ１などが接続されている。ここにおいて、制御部３ｂには、分岐ブレーカＢｍｎのデータとして、分岐ブレーカＢｍｎに接続される電気機器の名称やその使用場所の情報が格納されており、空調機器（エアコン）や床暖房設備などの単独回路のために個別に設けた分岐ブレーカの場合には、対応する電気機器の名称が格納される。また、単独回路ではなく不特定の電気機器が接続される可能性のある分岐ブレーカの場合には、各分岐ブレーカに接続される可能性がある電気機器の名称（例えば、照明器具、テレビ、給湯器など）や主たる使用場所が格納されており、ユーザが各分岐ブレーカに接続して使用する可能性が高い電気機器（例えば、ホットカーペットやアイロンなど）の名称およびその使用場所を設定しておくのが好ましい。
【００２５】
また、制御部３ｂは、後述の設定処理によって設定される各分岐ブレーカＢｍｎに接続されている電気機器Ｘｍｎの情報（例えば、使用用途や設置場所や停止時分岐電流など）が登録されるとともに、演算部３ａから入力される主幹電力量および分岐ブレーカＢｍｎ毎の分岐電力量（使用電力量）を時系列で逐次記憶するデータ記憶部３ｄと、端末装置ＴＵ（表示制御装置ＣＶやパソコンＰＣや携帯端末ＰＴなど）から統合装置ＴＭを介して入力される各種の要求信号に応じて、主幹電力量および分岐電路毎の分岐電力量など各種の電気使用量を表示するための画像データを生成し、当該画像データを端末装置ＴＵに送信（配信）する画像データ生成部３ｃとを備えている。ここにおいて、制御部３ｂでは、演算部３ａから入力される分岐ブレーカＢｍｎ毎の分岐電力量を、各分岐ブレーカＢｍｎ毎に設定された閾値と比較することによって、各分岐ブレーカＢｍｎに接続された電気機器Ｘｍｎが使用状態であるか否かを判別する電気チェックを行っており、電気チェックを行うか否かの設定や上記閾値の設定は後述の設定処理によって設定される。また、設定された内容はデータ記憶部３ｄに格納され、制御部３ｂはデータ記憶部３ｄに記憶した設定内容に基づいて上記電気チェックを行うようになっている。
【００２６】
一方、宅内にはリビング、寝室、子供部屋等の複数の部屋Ｒｍ（ｍ＝１，２，…）が設けられており、各部屋Ｒｍにはそれぞれ電気機器Ｘｍｎ（ｍ＝１，２，…、ｎ＝１，２，…）や電気機器が接続されるコンセントなどが設けられている。本実施形態では、図１および図３に示すように、分岐ブレーカＢ１ｎ（ｎ＝１，２，…）には、部屋Ｒ１（例えば、リビング）に設けたエアコンＸ１１やコンセント１０（エアコンＸ１１以外の電気機器であって、部屋Ｒ１内で使用される電気機器が接続されるコンセント）が接続され、対応する電路Ｌｐ１ｎ（ｎ＝１，２，…）を介して電力供給している。また、分岐ブレーカＢ２０には、部屋Ｒ２（例えば、子供部屋）に設けたエアコンＸ２１が接続され、電路Ｌｐ２０を介して電力供給している。さらに、分岐ブレーカＢ３１には、部屋Ｒ３（例えば、寝室）に設けたエアコンＸ３１が接続され、電路Ｌｐ３１を介して電力供給している。また、分岐ブレーカＢ４ｎ（ｎ＝１，２，…）には、部屋Ｒ４（例えば、台所）に設けたエアコンＸ４１や冷蔵庫用のコンセント８が接続され、対応する電路Ｌｐ４ｎ（ｎ＝１，２，…）を介して電力供給している。さらに、分岐ブレーカＢ５１には、部屋Ｒ５（例えば、和室）に設けたコンセント１１（部屋Ｒ５内で使用される電気機器が接続されるコンセント）が接続され、電路Ｌｐ５１を介して電力供給している。また、分岐ブレーカＢｍｎ（ｍ＝６，７，…、ｎ＝１，２，…）には、給湯器１４や床暖房１３や洗濯機用のコンセント９がそれぞれ接続され、対応する電路Ｌｐｍｎ（ｍ＝６，７，…、ｎ＝１，２，…）を介して電力供給している。
【００２７】
次に、統合装置ＴＭは、図１に示すようにＬＡＮケーブル（エンハンスト・カテゴリ５若しくはカテゴリ６のＬＡＮケーブル）を介して、盤内のエネルギーマネジメントユニット３の制御部３ｂや電気機器コントローラＣ１、盤外のパソコンＰＣ、表示制御装置ＣＶが接続されるとともに、インターネットＮＴを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００２８】
また、上述の端末装置ＴＵ（表示制御装置ＣＶやパソコンＰＣや携帯端末ＰＴなど）は、図５のブロック図に示すように統合装置ＴＭとの間でデータの授受を行う送受信部１５と、液晶ディスプレイからなる画像表示部１６と、操作信号を入力するための入力操作部１８と、送受信部１５、画像表示部１６および入力操作部１８などの全体の制御を行う制御部１７とを備えている。ここにおいて、表示制御装置ＣＶの画像表示部１６はタッチパネルからなり、このタッチパネルにより入力操作部１８が構成され、パソコンＰＣや携帯端末ＰＴなどはキーボードやテンキーにより入力操作部１８が構成されている。
【００２９】
また、図１における電気機器コントローラＣ１は、統合装置ＴＭとのインターフェース機能と、日本電機工業会（ＪＥＭＡ）の統一規格に適合した電気機器Ｘｍｎとのインターフェース機能をそれぞれ有している。この電気機器コントローラＣ１は、統合装置ＴＭを介して端末装置ＴＵから制御要求のメッセージを受け取ったときに、情報伝送路Ｌｊを介して各電気機器Ｘｍｎ（例えば、エアコンや床暖房設備など）を個別に制御して運転と停止を切り換える機能（制御機能）や、統合装置ＴＭを介して端末装置ＴＵから監視要求のメッセージを受け取ったときに、情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（監視機能）を有する。また、電気機器コントローラＣ１は、自己の配下にある電気機器Ｘｍｎの機器名称情報、部屋Ｒｍの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００３０】
ここで、図４は、統合管理盤１内における主幹ブレーカＢｓ、分岐ブレーカＢｍｎ、電流計測ユニット２を構成する制御ユニット（制御部）２ｂ、エネルギーマネジメントユニット３、統合装置ＴＭ等の配置を示している。主幹ブレーカＢｓの右側には、複数の分岐ブレーカＢｍｎが上下２列に配列されるとともに横並びに配置されており、これらの分岐ブレーカＢｍｎの右側には制御ユニット２ｂが配置されている。また、主幹ブレーカＢｓの下部には上述した主幹電力計測部２ａを構成する主幹電力計測センサＳ１が配置され、この主幹電力計測センサＳ１は通信ケーブルＬｉ２（例えば、ＲＳ４８５など）を介して制御ユニット２ｂに接続されており、主幹電力計測センサＳ１で計測した主幹ブレーカＢｓの主幹電力量が通信ケーブルＬｉ２を介して制御ユニット２ｂに入力されるようになっている。
【００３１】
さらに、制御ユニット２ｂの右側には、エネルギーマネジメントユニット３が配置されており、エネルギーマネジメントユニット３の右側には統合装置ＴＭが配置されている。エネルギーマネジメントユニット３は、ＬＡＮケーブルＬｉを介して統合装置ＴＭに接続されるとともに、通信ケーブルＬｉ１（例えば、ＲＳ４８５など）を介して制御ユニット２ｂに接続されており、制御ユニット２ｂの送信部２ｃから送信された主幹ブレーカＢｓの主幹電力および分岐ブレーカＢｍｎ毎の分岐電流の計測データが通信ケーブルＬｉ１を介してエネルギーマネジメントユニット３に入力されるようになっている。
【００３２】
また、本実施形態では、図４に示すように主幹ブレーカＢｓを介して供給される商用電源とは別に、太陽光を利用した太陽電池４から電力供給できるようになっている。この太陽電池４は、多数の太陽電池セル（太陽光からのエネルギーを光電変換し、電気エネルギーに変換する素子）を配列してパネル状としたものであって、直流電源として使用される。太陽電池４で生成された直流電力は、パワーコンディショナ５により交流電力に変換され、連系ブレーカ６と一次分岐ブレーカ７を介して商用電源と連系して負荷に供給される。
【００３３】
ここで、本実施形態では、センタ装置ＳＶから提供されるウェブページにおいて、例えばノート型のパーソナル・コンピュータからなる携帯端末ＰＴにより電力監視に関わる各種の設定が行えるように構成されている。以下にその手順について説明する。
【００３４】
まず、例えば本システムの設置業者が、携帯端末ＰＴからインターネットＮＴを介してセンタ装置ＳＶに接続し、認証に成功すると、設定対象の住戸の設定用の個人ページが携帯端末ＰＴの表示画面１６ａに表示される（図７（ａ）参照）。この画面の上側には画面の名称（本画面では「メニュー」）を示すタイトルバーＴＢ１が表示され、画面中央には所望のメニューを選択するための選択ボタンＢ１〜Ｂ９が、画面の下側には登録サイトのトップページに移行するための移行ボタンＢ１０やホームポータルへ移行するための移行ボタンＢ１１がそれぞれ表示されている。なお、各々の選択ボタンＢ１〜Ｂ９には対応するメニューの内容を示す文字（「カメラ」「機器コントロール」「エコ」「設定」など）が表示されている。
【００３５】
この画面において、設定画面に切り替えるための選択ボタンＢ９を選択すると、携帯端末ＰＴの制御部１７が送受信部１５からインターネットＮＴを介してセンタ装置ＳＶに設定画面の表示要求を送信させ、センタ装置ＳＶがインターネットＮＴを介して設定画面の表示要求を受信すると、センタ装置ＳＶは、設定画面を表示させるためのウェブページをインターネットＮＴを介して表示要求の送信元の携帯端末ＰＴに向けて送信し、携帯端末ＰＴでは送受信部１５が受信したウェブページが画像表示部１６の表示画面１６ａに表示される。図７（ｂ）は携帯端末ＰＴの画像表示部１６の表示画面１６ａに表示される設定画面の一例を示している。この画面の上側には画面の名称（本画面では「設定」）を示すタイトルバーＴＢ２が、画面中央には所望のメニューを選択するための選択ボタンＢ１２〜Ｂ１９が、画面の下側にはメニュー画面（図７（ａ）に示す画面）に移行するためのメニューボタンＢ２０がそれぞれ表示されている。なお、各々の選択ボタンＢ１２〜Ｂ１９には対応するメニューの内容を示す文字（「コントロール設定」「名称変更」「表示設定」「電力データ利用設定」など）が表示されている。
【００３６】
そして、例えば各分岐電路に介挿された分岐ブレーカＢｍｎの名称などを設定する場合、図７（ｂ）に示す画面において名称変更画面に切り替えるための選択ボタンＢ１５を選択すると、上述と同様の処理を経て名称変更画面（図示せず）が画像表示部１６の表示画面１６ａに表示され、同画面において分岐ブレーカＢｍｎの名称などが設定される。また、例えば各電気機器について電気チェック（各電気機器が使用状態にあるか否かを判別する機能）を行うか否かの設定や上述の閾値を設定する場合、図７（ｂ）に示す画面においてコントロール設定画面に切り替えるための選択ボタンＢ１２を選択すると、上述と同様の処理を経てコントロール設定画面（図示せず）が画像表示部１６の表示画面１６ａに表示され、同画面から複数画面移行させることによって電気チェックの設定や閾値の設定が行われる。
【００３７】
このように、本実施形態のエネルギーマネジメントシステムでは、電力監視に関わる各種の設定（例えば、分岐ブレーカＢｍｎの名称設定や電気チェックの設定など）を行うための画面（ウェブページ）がセンタ装置ＳＶから提供され、この画面から直接各種の設定画面に移行し、移行した設定画面において設定が行えるので、従来例と比較して画面を移行させる回数が少なくてすみ、各種の設定を容易に行うことができる。したがって、本実施形態では設置業者が設定する場合について説明したが、例えば電気機器を後から追加する場合には、本システムの使用者が上述と同様の処理を経て各種の設定を行うこともできる。さらに、携帯端末ＰＴが、インターネットＮＴを介してセンタ装置ＳＶに接続できる環境にあればいいので、遠隔地から上記設定を行うこともできる。
【００３８】
ここで、電力監視に関わる各種の設定が完了すると、携帯端末ＰＴには図６に示すように設定内容についての設定ファイルＦ１（設定情報）が作成され、この設定ファイルＦ１を上述のエネルギーマネジメントユニット３に転送（データ記憶部３ｄに格納）することによって、エネルギーマネジメントユニット３では、この設定内容に基づいて各電気機器Ｘｍｎの制御並びに監視が行われる。
【００３９】
ここにおいて、設置業者が上記の設定ファイルＦ１を携帯端末ＰＴからエネルギーマネジメントユニット３に転送する場合には、例えば携帯端末ＰＴをＬＡＮケーブルを用いて宅内ネットワークに接続し、この宅内ネットワークを介して設定ファイルＦ１をエネルギーマネジメントユニット３に転送する。或いは、携帯端末ＰＴを通信ケーブルを介してエネルギーマネジメントユニット３に直接接続し、この通信ケーブルを介して設定ファイル１をエネルギーマネジメントユニット３に転送する。この場合、設定ファイルＦ１を、携帯端末ＰＴから対応するエネルギーマネジメントユニット３に直接出力しているので、設定ファイルＦ１を確実にエネルギーマネジメントユニット３に転送することができる。
【００４０】
また、エネルギーマネジメントユニット３に、例えばメモリカードなどの記録媒体を接続するためのインターフェース部（図示せず）を設け、このインターフェース部に接続した記録媒体を介して設定ファイルＦ１をエネルギーマネジメントユニット３に転送することもできる。この場合、携帯端末ＰＴで作成した設定ファイルＦ１を一旦記録媒体に転送し、この記録媒体をインターフェース部に接続することで、設定ファイルＦ１がエネルギーマネジメントユニット３に転送される。このように、記録媒体を介して設定ファイルＦ１をエネルギーマネジメントユニット３に転送する場合には、インターフェース部に記録媒体を接続するだけでいいので、作業が容易になり作業性が向上する。また、事業者側（設置業者など）で設定した設定ファイルＦ１を記録したメモリカードを各住戸に配布することによって、各住戸のエネルギーマネジメントユニット３に設定ファイルＦ１を設定することもできる。
【００４１】
さらに、電気機器を後から追加した場合、例えば使用者や設置業者が、インターネットＮＴを介して設定ファイルＦ１をエネルギーマネジメントユニット３に転送することもできる。この場合、携帯端末ＰＴからインターネットＮＴを介して設定ファイルＦ１をセンタ装置ＳＶに転送し、その後センタ装置ＳＶからインターネットＮＴを介して設定ファイルＦ１がエネルギーマネジメントユニット３に転送されることになる。このように、インターネットＮＴを介して設定ファイルＦ１を転送する場合には、携帯端末ＰＴがインターネットＮＴを介してセンタ装置ＳＶに接続できる環境にあればいいので、設定ファイルＦ１を遠隔地から転送することができ、また複数の住戸の設定ファイルＦ１を同じ場所から対応する住戸のエネルギーマネジメントユニット３にそれぞれ転送することもできる。
【００４２】
なお、本実施形態では、ノート型のパーソナル・コンピュータからなる携帯端末ＰＴにより電力監視に関わる各種の設定をした場合を例に説明したが、設定を行う端末装置は本実施形態に限定されるものではなく、インターネットＮＴに接続できるものであれば宅外に設けられた端末装置などであってもよい。また、表示制御装置ＳＶやパソコンＰＣやネットテレビＴＶなどの宅内に設けられた端末装置により上述した各種の設定を行なってもよい。
【００４３】
さらに、本実施形態では、エネルギーマネジメントユニット３や統合装置ＴＭを電流計測ユニット２とともに１つの統合管理盤１内に配置した場合を例に説明したが、エネルギーマネジメントユニット３や統合装置ＴＭを電流計測ユニット２とは別の管理盤として設け、電流計測ユニット２とエネルギーマネジメントユニット３との間を通信ケーブルにより接続するように構成してもよい。
【図面の簡単な説明】
【００４４】
【図１】本実施形態のエネルギーマネジメントシステムの各構成を示すブロック図である。
【図２】同上の各構成を示す別のブロック図である。
【図３】同上の構成を示すシステム図である。
【図４】同上の統合管理盤内の配置図である。
【図５】同上の端末装置のブロック図である。
【図６】同上を説明するための説明図である。
【図７】（ａ）、（ｂ）は同上の端末装置の表示画面の例図である。
【符号の説明】
【００４５】
２  電流計測ユニット
３  エネルギーマネジメントユニット
３ａ  演算部（使用電力量演算部）
３ｂ  制御部
Ａ  宅内設備
Ｂｍｎ  分岐ブレーカ
Ｂｓ  主幹ブレーカ
ＣＴｍｎ  分岐電流計測部
ＣＶ  表示制御装置（表示装置）
Ｌｐｍｎ  電路
ＮＴ  インターネット（ネットワーク）
ＰＣ  パーソナル・コンピュータ（表示装置）
ＰＴ  携帯端末（端末装置）
ＳＶ  センタ装置（サーバ）
ＴＭ  統合装置（ネットワーク接続部）
ＴＶ  ネットテレビ（表示装置）
【図１】
2009130985.tif 000003
【図２】
2009130985.tif 000004
【図３】
2009130985.tif 000005
【図４】
2009130985.tif 000006
【図５】
2009130985.tif 000007
【図６】
2009130985.tif 000008
【図７】
2009130985.tif 000009
【手続補正書】
【提出日】平成19年11月26日(2007.11.26)
【手続補正１】
【補正対象書類名】特許請求の範囲
【補正対象項目名】請求項３
【補正方法】変更
【補正の内容】
【請求項３】
前記ウェブページで設定した設定情報を記録した記録媒体を接続するためのインターフェースを、前記エネルギーマネジメントユニットに設けたことを特徴とする請求項１記載のエネルギーマネジメントシステム。